(57)【要約】      （修正有）【課題】関節の屈伸の補助、あるいはサポータのずれ防止を目的としてサポータに付加される支持体は、支持体をサポータに直接縫着したり、サポータ内側に伸縮性生地を縫着して支持体を挿入する収納箇所を形成しているが、支持体の縫着、被覆作業は煩雑且つ、面倒である。一方、カットボス手法がサポータ支持体収納ポケット作成のために使用されることはなかった。丸編み機を使用して、弾性支持体を備えた筒状サポータを簡易かつ迅速に製作する。【解決手段】筒状サポータ１の製作工程にカットボス手法を採用して、サポータにライン柄７，８を形成し、サポータに渡り糸が連なったポケット部９を形成する。すなわち、サポータ本体３の編成と同時に支持体収納ポケットを編成し、当該収納ポケットに、弾性支持体１１を挿入する。【選択図】図３
2011212372.tif 000002
【特許請求の範囲】
【請求項１】
円周方向及び長手方向に伸縮可能なサポータ本体を略筒状に編成するときカットボス手法によりサポータ本体に弾性支持体収納ポケットを編成するサポータの編成方法。
【請求項２】
略筒状に編成され、円周方向及び長手方向に伸縮可能なサポータ本体にカットボス手法を採用してサポータ本体の編成と同時に弾性支持体収納ポケットを編成し、
弾性支持体収納ポケットに、弾性支持体を装填したことを特徴とする関節用サポータ。
【請求項３】
細筒状袋体に弾性支持体を挿入後、袋体の両端部をサポータへ取り付けた請求項２記載の関節用サポータ。
【発明の詳細な説明】
【技術分野】
【０００１】
本発明は、膝や肘などの屈曲等に支障をきたす患者が使用するサポータに関する。より詳しくは、弾性支持部材を備えた関節安定用サポータに関する。
【背景技術】
【０００２】
サポーターの長手方向に屈曲可能な棒体を取り付けた、略筒状に編成された特許文献１記載のサポータがあるが、当該棒体は、サポーターに直接縫い付けられたり、接着されたりしている。
【０００３】
また、屈伸の際の支持を強化するために取り付ける、弾性骨部材を収容固定するための袋部が形成されている構成のサポータがある（特許文献２）。
【０００４】
さらに、緊縮力に変化をつけてテーピング機能を持たせるためにカットボス手法が採用されている運動用スパッツの発明がある(特許文献３)。
【先行技術文献】
【特許文献】
【０００５】
【特許文献１】特開平０８−１７０２０４号公報
【特許文献２】特開２０００−１９７６５４号公報
【特許文献３】特開２００１-２１４３０３号公報
【発明の概要】
【発明が解決しようとする課題】
【０００６】
丸編み機によって編成される、被覆弾性糸を使用した筒状サポータは、肌に柔らかくフィットし装着感に優れているが、反面、関節へ適用すると屈曲動作によって徐々に関節中心部側へのずれやサポータの撚れを生じる。ずれや撚れが生じて適正なサポータの装着が維持できなければサポータ本来の効果は発揮することができない。
【０００７】
そこで、ずれ等を防止するためにサポータの両側面にスプリングステー、サイドボーン等と称される弾性を有するサポータ支持体を配設することが多い。これらのサポータ支持体にはその弾性復元力によるサポータのずれ防止だけでなく、関節の屈曲を補助する補助部材としての機能も期待される。
【０００８】
関節の屈伸の補助、あるいはサポータのずれ防止を目的としてサポータに付加される支持体は、支持体をサポータに直接縫着、接着、貼付するほか（特許文献１）、支持体を収容した袋を別途、サポータに縫着したり（特許文献２）、また、サポータ内側に伸縮性生地を縫い着けて支持体を挿入する収納箇所を形成している。
【０００９】
このように支持体の固定態様は様々であるが、縫着、被覆作業は煩雑且つ、面倒である。また、作業工程が増えるのでコストアップにもつながる。
【００１０】
支持体は、サポータのずれ防止等のため必要不可欠ではあるが一方で、支持体取り付け工程の簡素化、迅速化を図る必要がある。
【００１１】
ところで、カットボス手法は、靴下等の表側に柄を形成し、また、サポータ等にテーピング機能を付与するために利用されているが、サポータ支持体収納ポケット作成のために使用されることはなかった。
【００１２】
そこで、本発明では丸編み機を使用して、弾性支持体を備えた筒状サポータを簡易かつ迅速に製作することを目的とする。
【課題を解決するための手段】
【００１３】
そこで、本発明では筒状サポータの製作工程にカットボス手法を採用して丸編み機でサポータ本体の編成と同時に支持体収納ポケットを編成し、当該収納ポケットに、弾性支持体を挿入するのである。
【発明の効果】
【００１４】
弾性支持体収納ポケットはサポータと同時に一体編成されるため、製造工程を減らすことができる。
【００１５】
すなわち、弾性支持体を備えたサポータを短時間に効率よく製造できるため、製造コストを低減できる。
【００１６】
関節サポータに弾性支持体を備えたため、関節部等の動きを自由に保持しながら関節側面を確実に保護すると共に屈伸の際の支持を強化し、さらにサポータ本体のずれや撚れを抑制する。
【００１７】
筒状サポータでありながらずれが生じないため、装着感に優れ長時間の着用が可能となる。すなわち、適正な着用によるサポータの効果を確実に奏することができるのである。
【００１８】
弾性支持体収納ポケットがサポータと一体編成されるため、着用者の肌に直接密着するサポータ内側に形成した場合でも異物感を生じず優れた装着性を有する。
【００１９】
弾性支持体は、収納袋に挿入されたうえで収納ポケットに収納されさらに、収納袋の両端部のみをサポータに縫着するため弾性支持体は膝の屈伸等に追随してある程度自由に動きながらもサポータに確実に装着することができ、弾性支持体自体が大きくずれることはない。
【図面の簡単な説明】
【００２０】
【図１】本願発明にかかるサポータの正面図。
【図２】本願発明にかかるサポータの内側と支持体収納ポケットに支持体を収納する様子を示す説明図。
【図３】サポータ内側の一部拡大説明図。
【発明を実施するための形態】
【００２１】
次に、本発明にかかるサポータの最良の実施形態について図面を参照しながら詳説する。
【００２２】
サポータは本体の内径寸法を適宜変更することで、手首、足首、肘等の関節部位に適用することができるが、ここでは膝関節の保護、保温を目的として膝に着用される膝用サポータの実施例を掲げている。
【００２３】
図１には膝用サポータ１の全体像が示されている。
【００２４】
サポータ１は丸編み機で一つの筒状体として一体に編成され、膝部を覆う幅及び長さを有し、長手方向の上端から下端に向かってサポータ本体１の筒状の径は次第に細くなっている。さらに、膝装着状態における膝の内外側面に相当する位置に配設される弾性支持部
材１２を有する構造である。
【００２５】
サポータ本体部３は被覆弾性糸と、弾性を有しない通常の編み糸とを交編みした丸編地からなり、サポータの上下両端部２、４は靴下のダブルウエルトと同様に平編み組織の袋状に形成する。このように二重構造の縁部として形成されるため、サポータの上下両端部２、４は伸縮性に優れ、膝の上下に程よくフィットするのである。
【００２６】
また、本願発明では丸編み機でサポータ１を編成する際に、サポータの長尺縦方向に二本のライン７、８から成る柄を形成するようにカットボス編成手法を取り入れるのである。
【００２７】
サポータ本体３とライン７、８の編成に使用される糸は同色であってもかまわないし、また、糸色を変えて編成すると着用時にサポータの装着方向が一目でわかって便利である。
【００２８】
サポータ内側の拡大図２を参照すると、サポータ内側にはサポータの上端部２と本体部３との境目５の下に、ボス糸の始端９aと終端９bがコースごとに発生している。
【００２９】
これがウェール方向に、サポータ本体部３とほぼ同一寸法つながってライン状のふくらみ９となる。カットボスの両端の糸端はシリンダに同期して回転するサーキュラカッタによって切断され、エアシュータから吸収される。
【００３０】
カットボス編成によって生じた渡り糸によってサポータの縦方向に形成されたふくらみが弾性支持体を収納するポケット９となるのである。
【００３１】
この弾性支持体収納ポケットは、サポータ1の内側に形成しているが場合によってはサポータ外面側に形成することも可能である。
【００３２】
使用する弾性支持体は可撓性及び復元性を有し、サポータの本体部３の筒軸方向略全体とほぼ同一の寸法を有する。
【００３３】
すなわち、当該弾性支持体は、前後左右に容易に屈曲可能でありながら縦方向には一定形状を保つため、膝の屈曲動作を妨げることがない一方で、サポータのずれや撚れを抑制する機能、また関節を保持する補強機能を併有する。
【００３４】
弾性支持体としては、扁平に押しつぶしたコイルばねや板状のアルミ製支柱ステー、可撓自在な合成樹脂製棒状芯体が適している。本願の実施形態では、コイルばね状のコイル材を帯状に押し潰して変形させ、その両端に端金具１２−１２を加締め固定したばね体を使用している。
【００３５】
弾性支持体を扁平形状、板状、楕円棒状に形成するのは、装着部位に異物感を生じさせないためである。
【００３６】
次に、図３に示すように長尺の細筒状に形成した布製の収納袋１０に弾性支持体１１を収納後、支持体収納ポケット９を形成する渡り糸の下に収納袋を差し込み装填し、最後に収納袋１０の上下端１０a、１０bをサポータ本体部３とサポータの上下端との境目、５、６付近に縫着固定するのである。
【００３７】
弾性支持部材１１は、収納袋１０に収納されたうえ、サポータ1と一体形成された弾性支持部材収納ポケット９に挿入されるため、弾性支持部材が確実にサポータに装着される
。
【００３８】
収納ポケット９がサポータ内面に一体編成されるため、着用者の肌に直接触れる箇所でありながら、異物感がなく装着性にすぐれる。
【００３９】
この弾性支持部材収納ポケット9はカットボス編成により形成されるため、縦方向のライン数を変更することで複数形成することもでき、収納ポケットの幅や長さ及び位置の変更も自在である。またサポータ本体に対して角度をつけて形成することも可能である。
【産業上の利用可能性】
【００４０】
本発明は肘、膝、足首、手首等の関節に適用するサポータに応用可能である。
【符号の説明】
【００４１】
１、サポータ                  
２、上端部                    
３、サポータ本体部
４、下端部                    
５、上端部とサポータ本体部の境目
６、下端部とサポータ本体部の境目
７、８、ライン柄              
９、支持体収納ポケット
１０、支持体収納袋        
１１、弾性支持体
１２、端金具
【図１】
2011212372.tif 000003
【図２】
2011212372.tif 000004
【図３】
2011212372.tif 000005